(57)【要約】【課題】  複数の選択信号線が映像信号線と交差する構成になる場合に、表示むらを抑制することのできる電気光学装置および電子機器を提供すること。【解決手段】  信号線Ｘ１〜Ｘｎは、６本の信号線を１ブロックとして＃１〜＃１７４のブロックにブロック化されている。信号線駆動回路３４は、信号線Ｘ１〜Ｘｎに設けられ、ゲートに選択信号φ１〜φ６が印加されると画素へデータ信号を書き込むサンプルホールドトランジスタ５０を備える。信号線駆動回路３４に、映像信号線ｘ１〜ｘｎにそれぞれ交差する６本の反転選択信号線７１〜７６を設けてある。各反転選択信号線には、選択信号線６１〜６６に印加される選択信号φ１〜φ６を反転した反転選択信号／φ１〜／φ６が印加される。選択信号線と映像信号線との各交差部における配線の交差容量に起因するノイズを、反転選択信号線と映像信号線との各交差部における配線の交差容量に起因するノイズで相殺する。【選択図】      図３
2005215037.tif 000002
【特許請求の範囲】
【請求項１】
複数の走査線と複数の信号線の交差部に対応してマトリクス状に配置された複数の画素と、前記複数の走査線を駆動する走査線駆動回路と、前記複数の信号線を駆動する信号線駆動回路とを備え、前記複数の画素の各々に設けたスイッチング素子を介して各画素の電気光学素子にデータ信号を書き込むように構成された電気光学装置において、
前記信号線駆動回路は、前記複数の信号線の各々に設けられ、ゲートに選択信号が印加されてオン状態になると、対応する前記画素へデータ信号を書き込む複数のサンプルホールドトランジスタと、
映像信号線にそれぞれ交差し、前記複数のサンプルホールドトランジスタの各ゲートに、ゲート線を介して選択信号が順に印加される複数の選択信号線と、を備え、
前記映像信号線にそれぞれ交差する複数の反転選択信号線を設け、
前記複数の選択信号線に印加される選択信号を反転した反転選択信号を、前記複数の反転選択信号線に印加するように構成したことを特徴とする電気光学装置。
【請求項２】
請求項１に記載の電気光学装置において、
前記複数の信号線は、ｉ（ｉは２以上の整数）本の信号線を１ブロックとするｊ（ｊは２以上の整数）個のブロックにブロック化され、
前記複数の選択信号線は、ｉ本の選択信号線からなり、
前記信号線駆動回路は、前記走査線駆動回路により順に選択される一つの走査線に連なる１行分の画素に前記データ信号を書き込む１水平走査期間において、前記ｉ本の選択信号線に前記選択信号を順に印加して、前記ｊ個のブロック各々の信号線を１番目からｉ番目まで順に選択することで、前記１行分の画素への前記データ信号の書き込みをｉ回に分けて行うことを特徴とする電気光学装置。
【請求項３】
請求項２に記載の電気光学装置において、
前記ｊ個のブロック各々のｉ本の信号線にそれぞれ設けた前記サンプルホールドトランジスタのゲートは、前記ゲート線を介して前記ｉ本の選択信号線にそれぞれ接続されており、
前記ｊ個のブロック各々における、前記ｉ本の選択信号線にそれぞれ接続されたｉ本の前記ゲート線は、ｉ本の前記選択信号線及びｉ本の前記反転選択信号線の全てとそれぞれ交差するように同じ長さに形成されていることを特徴とする電気光学装置。
【請求項４】
請求項１〜３のいずれか１つに記載の電気光学装置において、
前記複数の選択信号線の各々と前記複数の反転選択信号線の各々とが交互に形成されていることを特徴とする電気光学装置。
【請求項５】
請求項１〜４のいずれか１つに記載の電気光学装置において、
前記スイッチング素子としてのトランジスタが前記複数の画素の各々に形成されている素子基板上に、前記複数のサンプルホールドトランジスタを含む前記信号線駆動回路が形成されたことを特徴とする電気光学装置。
【請求項６】
請求項１〜５のいずれか１つに記載の電気光学装置を備えたことを特徴とする電子機器。
【発明の詳細な説明】
【技術分野】
【０００１】
本発明は、周辺回路内蔵型液晶表示装置等の電気光学装置および電子機器に関する。
【背景技術】
【０００２】
従来の電気光学装置として、周辺駆動回路を内蔵したｐ−Ｓｉ形ＴＦＴ駆動方式のアクティブマトリクス液晶表示装置が知られている。このような周辺回路内蔵型液晶表示装置では、複数の走査線と複数の信号線の各交差部に対応してマトリクス状に配置された複数の画素を含むアクティブマトリクス部と、走査線を駆動する走査線駆動回路と、信号線を駆動する信号線駆動回路とが素子基板上に形成されている。各画素には、ポリシリコン形薄膜トランジスタ（ｐ−Ｓｉ形ＴＦＴ）がそれぞれ形成されている。
【０００３】
このような周辺回路内蔵型液晶表示装置として、例えば特許文献１に記載されたものが知られている。
この液晶表示装置の信号線駆動回路は、複数の信号線にそれぞれ接続されたトランスファーゲートＴＦＴ、ラインメモリとなるコンデンサ、及び表示信号補償用ＴＦＴを備える。各トランスファーゲートＴＦＴのゲート・ソース間容量ＣＧＳとラインメモリとなるコンデンサの容量カップリングによる表示信号の変動量を、表示信号補償用ＴＦＴのゲート・ソース間容量ＣＧＳとラインメモリとなるコンデンサの容量カップリングにより補償するようになっている。
【０００４】
このような周辺回路内蔵型液晶表示装置おいて、複数の信号線を、２本以上の信号線を１ブロックとする複数個のブロックにブロック化し、複数の信号線にそれぞれ接続されたトランスファーゲートＴＦＴのゲートに選択信号を印加する選択信号線を各ブロックの信号線と同じ数設ける。そして、信号線駆動回路を、選択される一つの走査線に連なる１行分の画素にデータ信号を書き込む１水平走査期間において、複数の選択信号線に選択信号を順に印加して、各ブロックの信号線を１番目から順に選択することで、１行分の画素へのデータ信号の書き込みを各ブロックの信号線と同じ数の回数で行うようにする。このようなデータ信号の書き込みを実現するには、複数の選択信号線が複数の信号線と交差する構成となる。なお、本発明の「特許請求の範囲」および「明細書」中では、複数の選択信号線が交差する複数の信号線を、画素における複数の信号線と区別するために「映像信号線」と言う。
【特許文献１】特開平５−２３２５０８号公報
【発明の開示】
【発明が解決しようとする課題】
【０００５】
ところで、上述したような周辺回路内蔵型液晶表示装置において、複数の選択信号線が複数の映像信号線と交差する構成となる場合、選択信号が順に印加される複数の選択信号線の電圧変化が、複数の信号線をそれぞれ介して各画素に書き込まれるデータ信号に外乱を与え、表示むらを生じさせる原因になっていた。このような外乱は、複数の選択信号線と複数の映像信号線との各交差部における配線の交差容量に起因するノイズである。
【０００６】
本発明は、このような従来の問題点に鑑みてなされたもので、その目的は、複数の選択信号線が映像信号線と交差する構成になる場合に、表示むらを抑制することのできる電気光学装置および電子機器を提供することにある。
【課題を解決するための手段】
【０００７】
本発明における電気光学装置は、複数の走査線と複数の信号線の交差部に対応してマト
リクス状に配置された複数の画素と、前記複数の走査線を駆動する走査線駆動回路と、前記複数の信号線を駆動する信号線駆動回路とを備え、前記複数の画素の各々に設けたスイッチング素子を介して各画素の電気光学素子にデータ信号を書き込むように構成された電気光学装置において、前記信号線駆動回路は、前記複数の信号線の各々に設けられ、ゲートに選択信号が印加されてオン状態になると、対応する前記画素へデータ信号を書き込む複数のサンプルホールドトランジスタと、映像信号線にそれぞれ交差し、前記複数のサンプルホールドトランジスタの各ゲートに、ゲート線を介して選択信号が順に印加される複数の選択信号線と、を備え、前記映像信号線にそれぞれ交差する複数の反転選択信号線を設け、前記複数の選択信号線に印加される選択信号を反転した反転選択信号を、前記複数の反転選択信号線に印加するように構成したことを要旨とする。
【０００８】
これによれば、信号線駆動回路の映像信号線にそれぞれ交差する複数の反転選択信号線を設け、複数の選択信号線に印加される選択信号を反転した反転選択信号を、複数の反転選択信号線に印加する。これにより、複数の選択信号線と映像信号線との各交差部における配線の交差容量に起因するノイズを、複数の反転選択信号線と映像信号線との各交差部における配線の交差容量に起因するノイズで相殺して低減することができる。したがって、複数の選択信号線が映像信号線と交差する構成になる場合に、表示むらを抑制することができる。
【０００９】
この電気光学装置において、前記複数の信号線は、ｉ（ｉは２以上の整数）本の信号線を１ブロックとするｊ（ｊは２以上の整数）個のブロックにブロック化され、前記複数の選択信号線は、ｉ本の選択信号線からなり、前記信号線駆動回路は、前記走査線駆動回路により順に選択される一つの走査線に連なる１行分の画素に前記データ信号を書き込む１水平走査期間において、前記ｉ本の選択信号線に前記選択信号を順に印加して、前記ｊ個のブロック各々の信号線を１番目からｉ番目まで順に選択することで、前記１行分の画素への前記データ信号の書き込みをｉ回に分けて行うことを要旨とする。
【００１０】
これによれば、信号線駆動回路は、走査線駆動回路により順に選択される一つの走査線に連なる１行分の画素にデータ信号を書き込む１水平走査期間において、ｉ本の選択信号線に選択信号を順に印加して、ｊ個のブロック各々の信号線を１番目からｉ番目まで順に選択する。これにより、１行分の画素へのデータ信号の書き込みを、ｉ回に分けて行う。これにより、書き込み時間を充分長くとることができる。したがって、高精細になっても書き込み時間に余裕ができ、高コントラスト、高画質な表示が得られる。
【００１１】
この電気光学装置において、前記ｊ個のブロック各々のｉ本の信号線にそれぞれ設けた前記サンプルホールドトランジスタのゲートは、前記ゲート線を介して前記ｉ本の選択信号線にそれぞれ接続されており、前記ｊ個のブロック各々における、前記ｉ本の選択信号線にそれぞれ接続されたｉ本の前記ゲート線は、ｉ本の前記選択信号線及びｉ本の前記反転選択信号線の全てとそれぞれ交差するように同じ長さに形成されていることを要旨とする。
【００１２】
これによれば、各信号線に接続された全てのサンプルホールドトランジスタのゲート電位が、各ゲート線と各選択信号線との交差容量に起因する外乱の影響を受けないので、全てのサンプルホールドトランジスタのゲート電位が微妙に異なるのが抑制される。したがって、各画素への書き込み期間などが微妙にずれるのを抑制でき、表示むらの発生をさらに抑制することができる。
【００１３】
この電気光学装置において、前記複数の選択信号線の各々と前記複数の反転選択信号線の各々とが交互に形成されていることを要旨とする。
複数の選択信号線に順に印加される選択信号と複数の反転選択信号線に順に印加される
反転選択信号とは相補的であるので、選択信号線と反転選択信号線とは近い方が好ましい。
【００１４】
これによれば、複数の選択信号線の各々と複数の反転選択信号線の各々とを交互に形成することで、複数の選択信号線と複数の信号線との各交差部における配線の交差容量に起因するノイズを、複数の反転選択信号線と複数の信号線との各交差部における配線の交差容量に起因するノイズで効果的に相殺することができる。
【００１５】
この電気光学装置において、前記スイッチング素子としてのトランジスタが前記複数の画素の各々に形成されている素子基板上に、前記複数のサンプルホールドトランジスタを含む前記信号線駆動回路が形成されたことを要旨とする。
【００１６】
これによれば、複数の選択信号線が映像信号線と交差する構成になる場合でも、表示むらが抑制された周辺駆動回路内蔵型液晶表示装置を実現することができる。したがって、高精細な周辺駆動回路内蔵型液晶表示装置において、高コントラスト、高画質な表示が得られる。
【００１７】
本発明における電子機器は、上記電気光学装置を備えたことを要旨とする。
これによれば、複数の選択信号線が映像信号線と交差する構成になる場合に、表示むらを抑制した表示を実現できる。
【発明を実施するための最良の形態】
【００１８】
以下、本発明を液晶表示装置に適用した一実施形態を図１〜図６に基づいて説明する。
図１は一実施形態に係る液晶表示装置２０の電気的構成を概略的に示しており、図２はアクティブマトリクス部２１の電気的等価回路の一部を示している。
【００１９】
この液晶表示装置２０は、周辺駆動回路を内蔵したｐ−Ｓｉ形ＴＦＴ駆動方式のアクティブマトリクス液晶表示装置（周辺回路内蔵型ＴＦＴ液晶表示装置）である。
液晶表示装置２０は、図１に示すように、複数の走査線Ｙ１〜Ｙｍと、走査線Ｙ１〜Ｙｍと交差するように形成された複数の信号線Ｘ１〜Ｘｎと、走査線Ｙ１〜Ｙｍと信号線Ｘ１〜Ｘｎの各交差部に対応してマトリクス状に配置された複数の画素２５とを含むアクティブマトリクス部２１を備える。各画素２５には、スイッチング素子としてのポリシリコン形薄膜トランジスタ（ｐ−Ｓｉ形ＴＦＴ）２６がそれぞれ形成されている（図２参照）。ポリシリコン形薄膜トランジスタ２６（以下、「ＴＦＴ２６」という）を介して各画素２５にデータ信号が書き込まれるようになっている。
【００２０】
また、液晶表示装置２０は、一対の基板として素子基板２２と図示を省略した対向基板とを備え、これら２つの基板の間にＴＮ（Twisted Nematic）型の液晶が封入されている
。
【００２１】
素子基板２２上には、図１に示すように、アクティブマトリクス部２１と、複数の走査線Ｙ１〜Ｙｍを駆動するための走査線駆動回路３３と、複数の信号線Ｘ１〜Ｘｎを駆動するための信号線駆動回路３４とが形成されている。
【００２２】
また、液晶表示装置２０は、走査線駆動回路３３及び信号線駆動回路３４を制御するための制御回路３５を備える。制御回路３５には、表示データ、同期信号、及びクロック信号等が外部回路から入力されるようになっている。本実施形態では、表示データはビデオ信号などのデジタル階調データである。同期信号は、垂直同期信号と水平同期信号である。クロック信号は、図４に示すクロック信号ＣＹ及び反転クロック信号／ＣＹ等である。
【００２３】
制御回路３５から走査線駆動回路３３及び信号線駆動回路３４には、フレーム反転駆動等を行うための各種の信号が信号線３７ａ及び３７ｂをそれぞれ介して供給される。
この液晶表示装置２０は、マトリクス状に配置された複数の画素２５の各ＴＦＴ２６を介して各画素２５に正極性のデータ信号（電圧信号）と負極性のデータ信号を１フレームごとに交互に書き込むフレーム反転駆動を行うようになっている。つまり、液晶表示装置２０は、図４に示すように、共通電極電位ＬＣＣＯＭを低い電圧Ｖｓｓと高い電圧Ｖｄｄとの間で１フレームごとに反転させて、各画素２５に正極性のデータ信号と負極性のデータ信号を交互に書き込むように構成されている。なお、「１フレーム」は、走査線Ｙ１〜Ｙｍを順に選択して全ての画素２５の容量（液晶容量３１および蓄積容量３２）にデータ信号を書き込むことで１画面の表示がなされる期間をいう。
【００２４】
図２に示すように、各画素２５のＴＦＴ２６のゲートは走査線Ｙ１〜Ｙｍの１つに、そのソースは信号線Ｘ１〜Ｘｎの一つに、そして、そのドレインは対応する１つの画素２５の画素電極２９にそれぞれ接続されている。各画素２５の画素電極２９は、対向基板側に設けた１つの共通電極３０と液晶２４を介してそれぞれ対向している。この共通電極３０の電位（共通電極電位ＬＣＣＯＭ）を１フレームごとに反転させて上記フレーム反転駆動を行うようになっている。また、各画素２５は、矩形状の画素電極２９と共通電極３０の間の液晶２４で構成される液晶容量３１と、この液晶容量３１と並列に接続され、同液晶容量３１からの電荷のリークによる電圧の降下を低減するための容量素子である蓄積容量３２とを備えている。各蓄積容量３２のマイナス側端子は、容量配線４１に接続されている。
【００２５】
そして、各画素２５の画素回路は、ＴＦＴ２６がオン（導通状態）になると、ビデオ信号などのデジタル階調データがＤ／Ａ変換されたデータ信号（電圧信号）がＴＦＴ２６を介して液晶容量３１と蓄積容量３２とに書き込まれ、ＴＦＴ２６がオフ（非導通状態）になると、これらの容量に電荷が保持されるようになっている。
【００２６】
走査線駆動回路３３は、図４に示すように、走査線Ｙ１〜Ｙｍを順に選択する垂直走査期間の最初に供給される垂直同期信号としての転送開始信号ＤＹ、クロック信号ＣＹおよび反転クロック信号／ＣＹにより走査信号Ｇ１〜Ｇｍを順に生成して出力することで、走査線Ｙ１〜Ｙｍを順に選択するようになっている。走査線Ｙ１〜Ｙｍが順に選択されて各走査線に走査信号Ｇ１〜Ｇｍが供給される各水平走査期間（図５参照）において、走査線Ｙ１〜Ｙｍのうちの選択された１つの走査線に接続された全てのＴＦＴ２６がオン状態になるように構成されている。なお、本実施形態では、上記「垂直走査」を、走査線Ｙ１側から順に選択するように行う。
【００２７】
図４に示すように、ｔ１時点に共通電極電位ＬＣＣＯＭがＶｄｄからＶｓｓに反転した後、ｔ２時点に転送開始信号ＤＹが走査線駆動回路３３に供給されると、走査線駆動回路３３はｔ３時点からｔ５時点までの間で、走査信号Ｇ１〜Ｇｍを順に生成して出力することで、走査線Ｙ１〜Ｙｍを順に選択する。走査信号Ｇｍによる選択期間がｔ５時点で終了した後、ｔ６時点に共通電極電位ＬＣＣＯＭがＶｓｓからＶｄｄに反転するようになっている。このような動作が繰り返される。
【００２８】
信号線駆動回路３４は、データ信号（電圧信号）を複数の信号線Ｘ１〜Ｘｎを介して各画素２５に書き込むためのサンプリング回路、サンプリング回路の動作タイミングをコントロールするシフトレジスタ、ビデオ信号線（図示略）に入力される各画素のデジタル階調データを１行分保持するラッチ回路、及びアナログ／デジタル変換回路等を備える。
【００２９】
信号線駆動回路３４のサンプリング回路は、図３に示すように、複数の信号線Ｘ１〜Ｘｎの各々に設けられ、ゲートにＨレベルの選択信号φ１〜φ６が印加されてオン状態にな
ると、対応する画素２５へデータ信号を書き込む複数のサンプルホールドトランジスタ５０を備える。各サンプルホールドトランジスタ５０のソース及びドレインは、複数の信号線Ｘ１〜Ｘｎの各々に接続されている。各サンプルホールドトランジスタ５０（以下、「ＴＦＴ５０」という）は、各画素２５のＴＦＴ２６と同様にポリシリコン形薄膜トランジスタである。
【００３０】
なお、本実施形態では、一例として、複数の信号線Ｘ１〜Ｘｎとして、１０４４本の信号線（ｎ＝１０４４）を用いている。そして、複数の（１０４４本の）信号線Ｘ１〜Ｘｎは、ｉ（ｉ＝６）本の信号線を１ブロックとするｊ（ｊ＝１７４）個のブロック（＃１〜＃１７４のブロック）にブロック化されている。
【００３１】
また、本実施形態では、複数の信号線Ｘ１〜Ｘｎの各々に設けた各サンプルホールドトランジスタ５０のより前段の信号線（１０４４本の信号線）を、各画素２５における複数の信号線Ｘ１〜Ｘｎと区別するために、映像信号線ｘ１〜ｘｎ（図３参照）と言う。
【００３２】
そのため、信号線駆動回路３４のサンプリング回路には、図３に示すように、複数の（１０４４本の）映像信号線ｘ１〜ｘｎにそれぞれ交差し、各ＴＦＴ５０のゲートに、ゲート線５１をそれぞれ介して選択信号を印加するｉ（ｉ＝６）本の選択信号線６１〜６６が設けられている。
【００３３】
選択信号線６１は、１７４個のブロック各々の１番目の信号線に設けたＴＦＴ５０の各ゲートに、ゲート線５１をそれぞれ介して接続されている。つまり、選択信号線６１は、＃１のブロック、＃２のブロック、・・・、＃１７４のブロックを含む全部で１７４個のブロック各々の１番目の信号線Ｘ１、Ｘ７、・・・Ｘｎ−５にそれぞれ設けたＴＦＴ５０の各ゲートに、ゲート線５１をそれぞれ介して接続されている。
【００３４】
同様に、選択信号線６２は、１７４個の各ブロックの２番目の信号線Ｘ２、Ｘ８、・・・Ｘｎ−４にそれぞれ設けたＴＦＴ５０の各ゲートに、ゲート線５１をそれぞれ介して接続されている。選択信号線６３は、各ブロックの３番目の信号線Ｘ３、Ｘ９、・・・Ｘｎ−３にそれぞれ設けたＴＦＴ５０の各ゲートに、ゲート線５１をそれぞれ介して接続されている。選択信号線６４は、各ブロックの４番目の信号線Ｘ４、Ｘ１０、・・・Ｘｎ−２にそれぞれ設けたＴＦＴ５０の各ゲートに、ゲート線５１をそれぞれ介して接続されている。選択信号線６５は、各ブロックの５番目の信号線Ｘ５、Ｘ１１、・・・Ｘｎ−１にそれぞれ設けたＴＦＴ５０の各ゲートに、ゲート線５１をそれぞれ介して接続されている。そして、選択信号線６６は、各ブロックの６番目の信号線Ｘ６、Ｘ１２、・・・Ｘｎにそれぞれ設けたＴＦＴ５０の各ゲートに、ゲート線５１をそれぞれ介して接続されている。
【００３５】
このように形成された６本の選択信号線６１〜６６には、信号線駆動回路３４の上記シフトレジスタから、Ｈレベルの選択信号φ１〜φ６が図５に示すようなタイミングで順に印加されるようになっている。
【００３６】
また、信号線駆動回路３４のサンプリング回路には、複数の映像信号線ｘ１〜ｘｎにそれぞれ交差するｉ（ｉ＝６）本の反転選択信号線７１〜７６が設けられている。各反転選択信号線７１〜７６は、選択信号線６１〜６６に沿って形成されている。
【００３７】
１０４４本の信号線Ｘ１〜Ｘｎにそれぞれ設けたＴＦＴ５０の各ゲートに接続された１０４４本のゲート線５１は、６本の選択信号線６１〜６６及び６本の反転選択信号線７１〜７６の全てとそれぞれ交差するように同じ長さに形成されている。
【００３８】
また、６本の選択信号線６１〜６６の各々と６本の反転選択信号線７１〜７６の各々と
が交互に形成されている。
このように形成された６本の反転選択信号線７１〜７６には、信号線駆動回路３４の上記シフトレジスタから、選択信号線６１〜６６に印加される選択信号φ１〜φ６を反転した反転選択信号／φ１〜／φ６が、図５に示すようなタイミングで順に印加されるようになっている。
【００３９】
また、反転選択信号／φ１〜／φ６は、選択信号φ１〜φ６と同じ側から反転選択信号線７１〜７６の各々に印加するようになっている。
さらに、信号線駆動回路３４は、シフトレジスタから出力される選択信号φ１〜φ６に対応する各画素のデータ信号（電圧信号）が、＃１〜＃１７４の各グロック毎に、端子５２から共通データ線５３を介して６本の映像信号線に順に供給するようになっている。
【００４０】
＃１〜＃１７４の各グロックの端子５２には、例えば、＃１〜＃１７４の各グロックの６つの画素に対応するデジタル階調データを電圧信号であるデータ信号にそれぞれ変換するデジタル／アナログ変換器の出力に接続されている。
【００４１】
以上のように構成された液晶表示装置２０では、信号線駆動回路３４は、走査線駆動回路３３により順に選択される一つの走査線に連なる１行分の画素にデータ信号を書き込む１水平走査期間において、６本の選択信号線６１〜６６に選択信号φ１〜φ６を順に印加する。こうして、１７４個のブロック各々の６本の信号線を１番目から６番目まで順に選択することにより、１行分の画素へのデータ信号の書き込みを、６回に分けて行う。
【００４２】
このような１行分の画素へのデータ信号の書き込みを、走査線Ｙ１から走査線Ｙｍまで順に行うことにより、１フレームの画像が表示される。
ところで、このような１行分の画素へのデータ信号の書き込みを走査線Ｙ１から走査線Ｙｍまで順に行う際に、通常は上記従来技術で説明したように、選択信号線６１〜６６と、＃１〜＃１７４の各ブロックの６本の映像信号線とが交差しているため、各画素２５に書き込まれるデータ信号に外乱を与える。この外乱は、表示むらを生じさせる原因になっていた。
【００４３】
例えば、選択信号線６１と、＃１〜＃１７４の各ブロックの１番目の映像信号線（例えば＃１のブロックの映像信号線ｘ１）とが交差しているため、選択信号φ１が印加される選択信号線６１の電圧変化が、＃１〜＃１７４の各ブロックの１番目の映像信号線をそれぞれ介して各画素２５に書き込まれるデータ信号に外乱を与える。この外乱は、選択信号線６１と＃１〜＃１７４の各ブロックの１番目の映像信号線との各交差部における配線の交差容量８１に起因するノイズ８３である（図６参照）。同様なノイズは、選択信号線６２〜６６と各ブロックの２番目〜６番目の映像信号線との各交差部における配線の交差容量に起因して生じる。
【００４４】
これに対し、本実施形態では、信号線駆動回路３４のサンプリング回路に、各ブロックの６本の映像信号線にそれぞれ交差する６本の反転選択信号線７１〜７６を設けてある。各反転選択信号線７１〜７６には、信号線駆動回路３４のシフトレジスタから、選択信号線６１〜６６に順に印加される選択信号φ１〜φ６を反転した反転選択信号／φ１〜／φ６が、図５に示すようなタイミングで順に印加される。
【００４５】
例えば、図６に示すように、信号線駆動回路３４のシフトレジスタから選択信号線６１に選択信号φ１が印加される場合、そのシフトレジスタから反転選択信号線７１に選択信号φ１を反転した反転選択信号／φ１が選択信号φ１と同じタイミングで印加される（図５参照）。
【００４６】
このように、選択信号φ１〜φ６が順に印加される各選択信号線６１〜６６の電圧変化と、選択信号φ１〜φ６を反転した反転選択信号／φ１〜／φ６が順に印加される各反転選択信号線７１〜７６の電圧変化は相補的となる。このため、反転選択信号線７１と、＃１〜＃１７４の各ブロックの１番目の映像信号線（例えば＃１のブロックの映像信号線ｘ１）との各交差部における配線の交差容量８２に起因するノイズ８４が発生する。このノイズ８４によって上記ノイズ８３が相殺されて低減される。これにより、上記外乱に起因する表示むらが抑制される。
【００４７】
以上のように構成された一実施形態によれば、以下の作用効果を奏する。
○信号線駆動回路３４のサンプリング回路に、各ブロックの６本の映像信号線にそれぞれ交差する６本の反転選択信号線７１〜７６を設けてある。そして、各反転選択信号線７１〜７６には、信号線駆動回路３４のシフトレジスタから、選択信号線６１〜６６に順に印加される選択信号φ１〜φ６を反転した反転選択信号／φ１〜／φ６を、図５に示すようなタイミングで順に印加するようになっている。
【００４８】
これにより、選択信号線６１〜６６と＃１〜＃１７４の各ブロックの６本の映像信号線との各交差部における配線の交差容量８１に起因するノイズ８３を、反転選択信号線７１〜７６と＃１〜＃１７４の各ブロックの６本の映像信号線との各交差部における配線の交差容量８２に起因するノイズ８４で相殺して低減することができる。したがって、複数の選択信号線６１〜６６が複数の映像信号線ｘ１〜ｘｎと交差する構成になる場合に、表示むらを抑制することができる。
【００４９】
○信号線駆動回路３４は、走査線駆動回路３３により順に選択される一つの走査線に連なる１行分の画素にデータ信号を書き込む１水平走査期間において、６本の選択信号線６１〜６６に選択信号φ１〜φ６を順に印加して、１７４個のブロック各々の６本の信号線を１番目から６番目まで順に選択する。これにより、１行分の画素へのデータ信号の書き込みを、６回に分けて行う。これにより、書き込み時間を充分長くとることができる。したがって、高精細になっても書き込み時間に余裕ができ、高コントラスト、高画質な表示が得られる。
【００５０】
○上述したように交差容量８１に起因するノイズ８３を交差容量８２に起因するノイズ８４で相殺させるという本来の目的では、各ゲート線５１は各選択信号線６１〜６６との接続個所より先は、無くてもよい。しかし、各ゲート線５１の、各選択信号線６１〜６６との接続個所より先が無いと、各ゲート線５１と各選択信号線６１〜６６との交差容量に起因する外乱を、各ゲート線５１と各反転選択信号線７１〜７６との交差容量に起因する外乱で相殺できない。
【００５１】
そこで、１０４４本の信号線Ｘ１〜Ｘｎにそれぞれ設けたＴＦＴ５０の各ゲートに接続された１０４４本のゲート線５１を、６本の選択信号線６１〜６６及び６本の反転選択信号線７１〜７６の全てとそれぞれ交差するように同じ長さに形成してある。
【００５２】
これにより、各信号線Ｘ１〜Ｘｎに接続された全てのＴＦＴ５０のゲート電位が、各ゲート線５１と各選択信号線６１〜６６との交差容量に起因する外乱の影響を受けないので、１７４個全てのＴＦＴ５０のゲート電位が微妙に異なるのが抑制される。したがって、各画素２５への書き込み期間などが微妙にずれるのを抑制でき、表示むらの発生をさらに抑制することができる。
【００５３】
○６本の選択信号線６１〜６６に順に印加される選択信号φ１〜φ６と６本の反転選択信号線７１〜７６に順に印加される反転選択信号／φ１〜／φ６とは相補的であるので、選択信号線６１〜６６と反転選択信号線７１〜７６とは近い方が好ましい。
【００５４】
選択信号線６１〜６６の各々と反転選択信号線７１〜７６の各々とを交互に形成することで、選択信号線６１〜６６と映像信号線ｘ１〜ｘｎとの各交差部における配線の交差容量に起因するノイズを、反転選択信号線７１〜７６と映像信号線ｘ１〜ｘｎとの各交差部における配線の交差容量に起因するノイズで効果的に相殺することができる。
【００５５】
○選択信号φ１〜φ６を反転した反転選択信号／φ１〜／φ６は、選択信号φ１〜φ６と同じ側から反転選択信号線７１〜７６の各々に印加するようになっている。これにより、上記ノイズ８４は、配線抵抗の関係で、上記ノイズ８３と同じような波形のなまり方をするので、ノイズ８３をノイズ８４によって理想的に相殺することができる。
【００５６】
○選択信号線６１〜６６が映像信号線ｘ１〜ｘｎと交差する構成になる場合でも、表示むらが抑制された周辺駆動回路内蔵型液晶表示装置を実現することができる。したがって、高精細な周辺駆動回路内蔵型液晶表示装置において、高コントラスト、高画質な表示が得られる。
【００５７】
［電子機器］
次に、上記一実施形態で説明した液晶表示装置２０を用いた電子機器について説明する。図１及び図２に示す液晶表示装置２０は、図７に示すような液晶プロジェクタなどの投射型表示装置１１０に適用できる。この投射型表示装置１１０は、Ｒ（赤）、Ｇ（緑）、Ｂ（青）の異なる色毎に透過型液晶ライトバルブ１１２，１１３，１１４を備えた３板式の投射型カラー表示装置である。これらの透過型液晶ライトバルブ１１２，１１３，１１４が、上記一実施形態で説明した液晶表示装置２０でそれぞれ構成されている。
【００５８】
図７に示すように、投射型表示装置１１０は、プロジェクタ本体１１１と、照明装置１２０と、色分離合成系１３０と、複数の投射レンズを有する投射装置としての投射光学系１４０とを備えている。プロジェクタ本体１１１内に、照明装置１２０及び色分離合成系１３０や、電源装置１５０等が内蔵されている。
【００５９】
照明装置１２０は、光源１１５と、２つのフライアイレンズ１１６，１１７と、偏光変換装置１１８とを有する。色分離合成系１３０は、２つのダイクロイックミラー１２１，１２２と、３つの反射ミラー１２３〜１２５と、３つのリレーレンズ１２６〜１２８と、３つの液晶ライトバルブ１１２〜１１４と、クロスダイクロイックプリズム１２９とを有する。
【００６０】
光源１１５は、高圧水銀ランプ或いはメタルハライドランプ等のランプ１２０ａと、ランプ１２０ａからの光Ｌ（以下、「光源光Ｌ」という。）を反射するリフレクタ１２０ｂとを有する。また、光源光Ｌの照度分布を液晶ライトバルブ１１２〜１１４において均一化させるために、２つのフライアイレンズ１１６，１１７が設けられている。各フライアイレンズ１１６，１１７は、二次元に配置された複数個（例えば、６×８個）のレンズ１１６ａ，１１７ａでそれぞれ構成されている。こうして、液晶ライトバルブ１１２〜１１４は、光源光Ｌでフライアイレンズ１１６，１１７によって均一な照度で照明されるようになっている。
【００６１】
偏光変換装置１１８は、フライアイレンズ１１７側に設けられた偏光ビームスプリッタアレイ（ＰＢＳアレイ）と、ＰＢＳアレイによって反射された偏光の偏光方向を変換する１／２波長板とを有し、光源光Ｌの光強度を損なうことなく光の偏光方向を一方向に揃えるようになっている。
【００６２】
ダイクロイックミラー１２１，１２２は、例えばガラス基板に所定の波長選択性を持つ
誘電体多層膜を積層したものである。ダイクロイックミラー１２１は、光源光Ｌのうちの赤色光ＬＲを透過させるとともに、緑色光ＬＧと青色光ＬＢを反射させるようになっている。また、ダイクロイックミラー１２２は、ダイクロイックミラー１２１で反射された緑色光ＬＧと青色光ＬＢのうち、緑色光ＬＧを反射させるとともに、青色光ＬＢを透過させるようになっている。
【００６３】
これにより、色分離合成系１３０では、照明装置１２０から入射する光源光Ｌのうち、赤色光ＬＲは、ダイクロイックミラー１２１を透過した後、反射ミラー１２３で反射されて赤色光用の液晶ライトバルブ１１２に入射される。緑色光ＬＧは、ダイクロイックミラー１２１で反射された後、ダイクロイックミラー１２２で反射されて緑色光用の液晶ライトバルブ１１２に入射される。青色光ＬＢは、ダイクロイックミラー１２１で反射された後、ダイクロイックミラー１２２を透過し、３つのリレーレンズ１２６〜１２８と２つの反射ミラー１２４、１２５からなるリレー系を経て、青色光用の液晶ライトバルブ１１４に入射される。
【００６４】
光変調装置としての液晶ライトバルブ１１２〜１１４は、ビデオ信号などの上記表示データに基づいて図示を省略した駆動回路によりそれぞれ駆動されるようになっている。
クロスダイクロイックプリズム１２９は、直角プリズムが貼り合わされた構造となっており、十字状に直交する２つのミラー面の一方には、赤色光ＬＲを反射させるとともに緑色光ＬＧを透過させる誘電体多層膜が、その他方には、青色光ＬＢを反射させるとともに緑色光ＬＧを透過させる誘電体多層膜がそれぞれ形成されている。そして、赤色光ＬＲ、緑色光ＬＧ及び青色光ＬＢの３つの色光が、クロスダイクロイックプリズム１２９によって合成されてカラー画像を表わす光が形成され、この光が投射光学系１４０によりスクリーン１４１上に拡大投射されるようになっている。
【００６５】
この投射型表示装置１１０によれば、各液晶ライトバルブ１１２，１１３，１１４の表示むらが抑制された表示を実現することができる。
[変形例]
なお、この発明は以下のように変更して具体化することもできる。
【００６６】
・上記一実施形態の液晶表示装置２０は、一例として、周辺駆動回路を内蔵したｐ−Ｓｉ形ＴＦＴ駆動方式のアクティブマトリクス液晶表示装置として構成されている。また、信号線駆動回路３４のサンプリング回路において、図３に示すように複数の信号線Ｘ１〜Ｘｎの各々に設けた複数のサンプルホールドトランジスタ５０がポリシリコン形薄膜トランジスタで構成されている。しかし、各サンプルホールドトランジスタ５０はポリシリコン形薄膜トランジスタに限らない。本発明は、複数のサンプルホールドトランジスタ５０を複数の信号線Ｘ１〜Ｘｎの各々に個別に実装して構成した周辺回路内蔵型のアクティブマトリクス液晶表示装置にも適用可能である。
【００６７】
・上記一実施形態の液晶表示装置２０は、素子基板２２上に、アクティブマトリクス部２１と、走査線駆動回路３３と、信号線駆動回路３４とを形成した周辺回路内蔵型液晶表示装置としたが、制御回路３５の一部についても素子基板２２上に設けた液晶表示装置にも本発明は適用可能である。
【００６８】
・上記一実施形態では、複数の信号線Ｘ１〜Ｘｎとして１０４４本の信号線（ｎ＝１０４４）を用い、１０４４本の信号線Ｘ１〜Ｘｎを、ｉ（ｉ＝６）本の信号線を１ブロックとするｊ（ｊ＝１７４）個のブロック（＃１〜＃１７４のブロック）にブロック化した液晶表示装置について一例として説明した。本発明は、信号線Ｘ１〜Ｘｎの数、各ブロックの信号線の数ｉ、及びｉ本の信号線を１ブロックとしてブロック化した信号線のブロック数ｊを適宜変更した液書表示装置に広く適用可能である。
【００６９】
・上記一実施形態では、選択信号線６１〜６６の各々と反転選択信号線７１〜７６の各々とを交互に形成した構成について一例として説明したが、本発明はこのような構成に限定されない。各選択信号線６１〜６６と各反転選択信号線７１〜７６の配線抵抗が無視できる程度に小さければ、各選択信号線６１〜６６と各反転選択信号線７１〜７６とを交互ではなく、複数個毎に配置しても良い。
【００７０】
例えば、各選択信号線６１〜６６と各反転選択信号線７１〜７６とを、２本ずつ交互に配置する構成であっても良い。或いは、選択信号線６１、反転選択信号線７１、７２、選択信号線６２，６３、反転選択信号線７３，７４、選択信号線６４、６５、反転選択信号線７５，７６、及び選択信号線６６のような配置であっても良い。
【００７１】
・上記一実施形態では、選択信号φ１〜φ６を反転した反転選択信号／φ１〜／φ６を、選択信号φ１〜φ６と同じ側から反転選択信号線７１〜７６の各々に印加するようにしているが、本発明はこのような構成に限定されない。例えば、反転選択信号線７１〜７６とシフトレジスタの出力端子とを接続する配線を片側に寄せると実装密度が高くなるので、これを回避するために、反転選択信号／φ１〜／φ６を選択信号φ１〜φ６とは反対側から反転選択信号線７１〜７６の各々に印加するようにするようにしても良い。
【００７２】
或いは、反転選択信号／φ１〜／φ６を、反転選択信号線７１〜７６の両側から印加するようしても良い。
或いは、選択信号線６１、反転選択信号線７１、７２、選択信号線６２，６３、反転選択信号線７３，７４、選択信号線６４、６５、反転選択信号線７５，７６、及び選択信号線６６のような配置にする。この配置において、φ１と／φ１、／φ２とφ２、φ３と／φ３、／φ４とφ４、φ５と／φ５、及び／φ６とφ６の各組を同じ側から印加するとともに、各組の信号を交互に反対側から印加するような構成であって良い。
【００７３】
このように、複数の選択信号線と複数の反転選択信号線の配置や、選択信号及びこれを反転した反転選択信号の入れ方などは、多くの態様が考えられ、これらの態様に本発明は広く適用可能である。
【００７４】
・上記一実施形態では、信号線駆動回路３４は、一例として、サンプリング回路、シフトレジスタ、各画素のデジタル階調データを１行分保持するラッチ回路、及びアナログ／デジタル変換回路等を備える構成としたが、本発明はこのような構成に限定されない。
【００７５】
・上記一実施形態では、液晶を反転駆動するのに、共通電極電位ＬＣＣＯＭを１フレームごとに反転させるようにしているが、他の方法で液晶を反転駆動する場合にも本発明は適用可能である。
【００７６】
・上記一実施形態では、一例として１フレームごとに共通電極３０の電位を反転させるようにしているが、１フレーム以外の所定期間ごとにその電位を反転させる場合にも本発明は適用可能である。
【００７７】
・上記一実施形態では、ＴＮ（Twisted Nematic ）型の液晶２４を用いているが本発明はこれに限定されない。液晶としては、スイッチング素子を介して各画素に正極性のデータ信号と負極性のデータ信号を所定期間ごと、例えば１フレームごとに交互に書き込むフレーム反転が可能なものであればよい。例えば、液晶として１８０°以上のねじれ配向を有するＳＴＮ（Super Twisted Nematic ）型、ＢＴＮ（Bi-stable Twisted Nematic ）型、高分子分散型、ゲストホスト型等を含めて、周知なものを広く用いることができる。
【００７８】
・液晶表示装置２０は、図７に示すような液晶プロジェクタなどの投射型表示装置１１０に限らず、パーソナルコンピュータ、携帯電話、デジタルカメラ等の各種の電子機器に適用できる。
【００７９】
・上記一実施形態では、電気光学装置を液晶表示装置として説明したが、本発明はこれに限るものではなく、液晶のように交流駆動される電気光学素子を用いた電気光学装置および該電気光学装置を備えた電子機器に対しても適用可能である。
【図面の簡単な説明】
【００８０】
【図１】一実施形態に係る液晶表示装置の駆動回路の電気的構成を示す概略構成図。
【図２】アクティブマトリクス部の電気的等価回路の一部を示す回路図。
【図３】信号線駆動回路内部の電気的構成の一部を示す概略構成図。
【図４】走査線駆動回路の動作を示すタイミングチャート。
【図５】信号線駆動回路の動作を示すタイミングチャート。
【図６】一実施形態の動作を説明するための説明図。
【図７】液晶表示パネルを用いた電子機器を示す平面図。
【符号の説明】
【００８１】
φ１〜φ６…選択信号、／φ１〜／φ６…反転選択信号、Ｘ１〜Ｘｎ…信号線、Ｙ１〜Ｙｍ…走査線、ｘ１〜ｘｎ…映像信号線、２０…液晶表示装置、２２…素子基板、２４…液晶、２５…画素、３３…走査線駆動回路、３４…信号線駆動回路、５０…サンプルホールドトランジスタ、５１…ゲート線、６１〜６６…選択信号線、７１〜７６…反転選択信号線。
【図１】
2005215037.tif 000003
【図２】
2005215037.tif 000004
【図３】
2005215037.tif 000005
【図４】
2005215037.tif 000006
【図５】
2005215037.tif 000007
【図６】
2005215037.tif 000008
【図７】
2005215037.tif 000009